(57)【要約】【課題】薄型化を図りつつ意匠性向上を図ることができる照明装置を提供する。【解決手段】照明装置１は、天井材Ｃに取り付けられた状態で天井材Ｃの下面Ｃ０側に全体が配置される。当該照明装置１は、光源ユニット１０と、光源ユニット１０に電力を供給する電源ユニット２０と、電源ユニット２０を収納する筐体３１とを備える。そして、筐体３１内における電源ユニット２０が収納される電源収納領域Ｓ１は、天井材Ｃの下面Ｃ０に平行な方向において、筐体３１内における光源ユニット１０が収納される光源収納領域Ｓ２を囲繞している。【選択図】図１
2014149945.tif 000002
【特許請求の範囲】
【請求項１】
造営材の一面側に配置される照明装置であって、
光源ユニットと、
前記光源ユニットに電力を供給する電源ユニットと、
前記光源ユニットおよび前記電源ユニットを収納する筐体とを備え、
前記筐体内における前記電源ユニットが収納される電源収納領域は、前記造営材の一面に平行な方向において、前記筐体内における前記光源ユニットが収納される光源収納領域を囲繞している
ことを特徴とする照明装置。
【請求項２】
前記筐体は、有底筒状であり且つ底壁の一部に開口部が形成されている主部と、前記開口部の周縁に連続し且つ前記造営材側に没入している副部とを有し、
前記光源収納領域は、前記副部の内側の領域に相当し、前記電源収納領域は、前記主部と前記副部の側壁とで囲まれた領域に相当する
ことを特徴とする請求項１記載の照明装置。
【請求項３】
前記副部は、有底筒状であり、その内径が筒軸方向において前記主部の前記底壁に近づくにつれて漸増している
ことを特徴とする請求項２記載の照明装置。
【請求項４】
前記主部は、有底筒状であり、その外径が筒軸方向において前記底壁に近づくにつれて漸減している
ことを特徴とする請求項２または請求項３記載の照明装置。
【請求項５】
前記電源ユニットは、回路基板および当該回路基板に実装された複数の電子部品からなる電源回路を有し、
前記回路基板における前記複数の電子部品それぞれの位置は、前記主部と前記副部とで囲まれた領域の形状に基づいて設定されている
ことを特徴とする請求項２乃至４のいずれか１項に記載の照明装置。
【請求項６】
板状の光散乱部材を更に備え、
前記筐体の前記主部の底壁における、前記開口部を囲繞する領域には、平面視で前記光散乱部材の大きさに等しい凹部が形成されており、
前記光散乱部材は、前記凹部に嵌合されている
ことを特徴とする請求項２乃至５のいずれか１項に記載の照明装置。
【請求項７】
前記凹部の底面と前記光散乱部材における前記底面に対向する面との間には、空隙が形成されている
ことを特徴とする請求項６記載の照明装置。
【発明の詳細な説明】
【技術分野】
【０００１】
本発明は、照明装置に関し、特に、外観向上技術に関する。
【背景技術】
【０００２】
従来、ＬＥＤ（Ｌｉｇｈｔ  Ｅｍｉｔｔｉｎｇ  Ｄｉｏｄｅ）を用いた光源ユニットを備える照明装置が提案されている（特許文献１、２参照）。
特許文献１、２に記載された照明装置は、光源ユニットと、当該光源ユニットに電力を供給する電源ユニットと、光源ユニットおよび電源ユニットを収納し且つ光取り出し用の開口部を有する筒状の筐体とを備えている。そして、当該照明装置では、光源ユニットと電源ユニットとが、筐体の筒軸方向において重なるように配置されている。
【０００３】
一方、近年の住宅は、居住空間の保温効果を高めるために天井材の上面側に断熱材を敷設したものが多くなってきている。このような住宅は、天井材の上面側の領域の大部分が断熱材に占有されていることが一般的である。すると、従来の天井埋め込み型の照明装置では、その一部が天井材の上面側に突出した状態で取り付けられるので、前述のような住宅に適用できない場合がある。従って、前述のような住宅は、天井材の下面側に全体が配置された状態で天井材に取り付けられる照明装置が適用されるケースが多くなってきている。
【先行技術文献】
【特許文献】
【０００４】
【特許文献１】特開２０１１−２４３５１０号公報
【特許文献２】特開２０１１−２４３５１１号公報
【発明の開示】
【発明が解決しようとする課題】
【０００５】
ところが、特許文献１、２記載の照明装置は、その筐体の筒軸方向における厚みが少なくとも光源ユニットの厚みと電源ユニットの厚みとを足し合わせた程度であることが必要となり、照明装置の薄型化が困難である。従って、特許文献１，２記載の照明装置をそのまま天井材の下面に取り付けて使用する場合、その筐体の厚み分だけ天井材の下面から突出した状態となり、照明装置のユーザに圧迫感を与えるものとなってしまう。
【０００６】
これに対して、光源ユニットと電源ユニットとが天井材の下面に平行な方向に並べて配置された構成の照明装置が考えられる。
この構成によれば、照明装置の厚みが、光源ユニットおよび電源ユニットのいずれか一方の厚み程度であればよく照明装置の薄型化を図ることができる。
しかしながら、光源ユニットと電源ユニットとの配置によっては、光源ユニットが照明装置の中心からずれてしまい、光出射部分が照明装置に対して非対称なものとなる。すると、照明装置全体の意匠性が低下してしまい、ひいては、照明装置の顧客の購買意欲を損なってしまう虞がある。
【０００７】
本発明は、上記事由に鑑みてなされたものであり、薄型化を図りつつ意匠性向上を図ることができる照明装置を提供することを目的とする。
【課題を解決するための手段】
【０００８】
本発明に係る照明装置は、造営材に取り付けられた状態で前記造営材の一面側に全体が配置される照明装置であって、光源ユニットと、光源ユニットに電力を供給する電源ユニットと、電源ユニットを収納する筐体とを備える。そして、筐体内における電源ユニットが収納される電源収納領域は、造営材の一面に平行な方向において、筐体内における光源ユニットが収納される光源収納領域を囲繞している。
【０００９】
また、本発明に係る照明装置は、上記筐体が、有底筒状であり且つ底壁の一部に開口部が形成されている主部と、上記開口部の周縁に連続し且つ上記造営材側に没入している副部とを有し、上記光源収納領域が、副部の内側の領域に相当し、上記電源収納領域は、主部と副部の側壁とで囲まれた領域に相当するものであってもよい。
また、本発明に係る照明装置は、上記副部が、有底円筒状であり、その内径が筒軸方向において上記主部の底壁に近づくにつれて漸増しているものであってもよい。
【００１０】
また、本発明に係る照明装置は、上記主部が、有底円筒状であり、その外径が筒軸方向において底壁に近づくにつれて漸減しているものであってもよい。
また、本発明に係る照明装置は、上記電源ユニットが、回路基板および当該回路基板に実装された複数の電子部品からなる電源回路を有し、回路基板における複数の電子部品それぞれの位置は、上記主部と上記副部とで囲まれた領域の形状に基づいて設定されているものであってもよい。
【００１１】
また、本発明に係る照明装置は、板状の光散乱部材を更に備え、上記筐体の主部の底壁における、上記開口部を囲繞する領域には、平面視で前記光散乱部材の大きさに等しい凹部が形成されており、光散乱部材は、凹部に嵌合されているものであってもよい。
また、本発明に係る照明装置は、上記凹部の底面と上記光散乱部材における底面に対向する面との間には、空隙が形成されているものであってもよい。
【発明の効果】
【００１２】
本構成によれば、筐体内における電源収納領域は、造営材の一面に平行な方向において、筐体内における光源収納領域と並ぶ位置にある。これにより、電源ユニットと光源ユニットとが上記一面に垂直な方向において互いに重なるように配置された構成の照明装置に比べて薄型化できる。また、電源収納領域は、造営材の一面に平行な方向において光源ユニットを囲繞するように存在するので、照明装置の光出射部分が照明装置の上記一面に平行な方向における中心に対して略対称なものとすることができる。これにより、照明装置の意匠性向上を図ることができる。
【図面の簡単な説明】
【００１３】
【図１】実施の形態に係る照明装置の分解斜視図。
【図２】実施の形態に係る電源ユニットの一部を示し、（ａ）は分解斜視図、（ｂ）は斜視図。
【図３】実施の形態に係る照明装置の電源ユニットおよび筐体を上方から見たときの分解斜視図。
【図４】実施の形態に係る照明装置の光源ユニットおよび筐体を下方から見たときの分解斜視図。
【図５】実施の形態に係る照明装置の分解斜視図。
【図６】実施の形態に係る照明装置を示し、（ａ）は光拡散部材を取り外した状態で下側から見た図、（ｂ）は取付板を取り外した状態で上側から見た図。
【図７】実施の形態に係る照明装置の断面図。
【図８】（ａ）は実施の形態に係る照明装置の光学的特性を説明するための模式図、（ｂ）は比較例２に係る照明装置の光学的特性を説明するための模式図。
【図９】変形例に係る照明装置の断面図。
【図１０】変形例に係る照明装置を示し、（ａ）は斜視図、（ｂ）は断面図。
【発明を実施するための形態】
【００１４】
＜実施の形態＞
＜１＞構成
図１は、本実施の形態に係る照明装置１の分解斜視図である。以下、天井材Ｃにおける照明装置１が取り付けられる面Ｃ０を下面として説明する。
照明装置１は、天井材Ｃの下面Ｃ０側に全体が配置された状態で、天井材Ｃに取り付けられている。この天井材Ｃは、造営材の一例であり、照明装置１は天井材Ｃに限らず、壁材に取り付けられるものであってもよい。
【００１５】
照明装置１は、光源ユニット１０と、電源ユニット２０と、筐体３１と、取付部材４１と、光拡散部材５１とを備える。
＜１−１＞電源ユニット
電源ユニット２０は、光源ユニット１０に電力を供給する。電源ユニット２０は、電源回路２１と、回路カバー２５と、端子台２７とを備える。
【００１６】
［電源回路］
電源回路２１は、外部電源から供給される交流を整流平滑する整流平滑回路や整流平滑回路から出力される直流電圧を昇圧または降圧する電圧変換回路等を備えるものである。
電源回路２１は、回路基板２１ａと、回路基板２１ａに実装された複数の電子部品２１ｂとを有する。なお、図１では、複数の電子部品の一部にのみ符号を付している。回路基板２１ａは、平面視弧状に形成されている。回路基板２１ａの弧に沿った方向における両端部には、回路カバー２５に固定するための貫通孔２１ａａが貫設されている。また、回路基板２１ａには、端子台２７と電気的に接続するための２本の給電線２３と、光源ユニット１０と電気的に接続するための２本のリード線２９とが接続されている。
【００１７】
［回路カバー］
回路カバー２５は、電源回路２１と筐体３１と取付部材４１とを絶縁しつつ電源回路２１を保持する機能を有する。この回路カバー２５は、熱伝導性の良い絶縁性材料から形成されている。
図２（ａ）に電源ユニット２０の一部の分解斜視図を示し、図２（ｂ）に電源ユニット２０の一部の斜視図を示す。
【００１８】
図２（ａ）に示すように、回路カバー２５は、一面が開放した箱形である。回路カバー２５の底部には、回路基板２１ａの位置決め用の突起部２５ａと、回路基板２１ａを支持するための複数（図２（ａ）では２つだけ示している。）の突起部２５ｃとが設けられている。ここで、突起部２５ａは、回路カバー２５の底部における回路基板２１ａの貫通孔２１ａａに対応する位置にある。回路カバー２５の内側面には、回路基板２１ａを係止するためのフック２５ｂが設けられている。そして、突起部２５ａが貫通孔２１ａａに挿通され（図２（ａ）の矢印Ａ１参照）、回路基板２１ａの上面の一部が突起部２５ｃそれぞれの先端に下側から当接した状態になると、フック２５ｂの先端部が回路基板２１ａの下面に係止される。これにより、図２（ｂ）に示すように、回路基板２１ａは、突起部２５ｃとフック２５ｂの先端部とで挟持された状態で回路カバー２５内に固定される。以上のように、回路カバー２５に突起部２５ａが設けられていることにより、回路基板２１ａの回路カバー２５に対する位置決めが容易になり、製造容易化を図ることができる。また、回路基板２１ａは、接着剤や螺子等の部材を用いずに回路カバー２５に固定されるので、接着剤や螺子等が不要になる分、部品点数の削減を図ることができる。
【００１９】
また、回路カバー２５の開口端部には舌片部２５ｄが設けられている。この舌片部２５ｄは、開口端部の平面視における角部それぞれに対応する部位に設けられている。そして、図１および図２に示すように、舌片部２５ｄそれぞれには、回路カバー２５を筐体３１に固定するための螺子１１３が挿通される貫通孔２５ｄａが貫設されている。
［端子台］
端子台２７は、外部電源と電源回路２１とを電気的に接続するためのものである。端子台２７は、ハウジング２７ｃと、ピン受部２７ｂとを備える。ハウジング２７ｃは、扁平な矩形箱状である。ピン受部２７ｂは、ハウジング２７ｃ内部に収納されている。このピン受部２７ｂには、外部電源に接続された電源線Ｌの先端部のピンＬ１が差し込まれる。そして、給電線２３は、ハウジング２７ｃにおける互いに対向する２つの側面の一方側に接続され、電源線Ｌの先端部のピンＬ１は、他方側から差し込まれる。ここで、ピン受部２７ｂは、金属材料等の導電性材料からなり、給電線２３に電気的に接続されている。また、端子台２７には、貫通孔２７ａが貫設されている。貫通孔２７ａには、端子台２７を筐体３１に固定するための螺子１１５が挿通される。
【００２０】
＜１−２＞筐体
筐体３１には、光源ユニット１０および電源ユニット２０が収納される。この光源ユニット１０および電源ユニット２０の筐体３１への収納態様については、後の＜２＞で詳細に述べる。この筐体３１は、例えば、アルミニウムやマグネシウム等の金属材料やセラミックスあるいは熱伝導性の良い樹脂材料から形成されている。
【００２１】
筐体３１は、主部３３と副部３５とからなる。この筐体３１は、有底円筒状であり、その底壁３３ｃの一部から天井材Ｃ側に向かって窪む窪み部Ｓ２を有する形状をしている。そして、筐体３１のうち、窪み部Ｓ２の開口部３３ｇの周縁から底壁３３ｃを含み、側壁３３ｅの天井材Ｃ側の端部までの部分が主部３３に相当する。また、筐体３１のうち、窪み部Ｓ２の開口部３３ｇの周縁に連続し、天井材Ｃ側に没入している部分が副部３５に相当する。即ち、主部３３は、有底円筒状であり、底壁の一部に開口部３３ｇが形成されている。副部３５は、有底円筒状であり、主部３３の内側に位置し、主部３３の開口部３３ｇの外周部に連続している。なお、主部３３や副部３５は、その筒軸方向に直交する断面形状が円形である有底円筒状に限定されるものではない。例えば、主部３３或いは副部３５の断面形状が、角形（例えば、４角形や８角形）であってもよい。
【００２２】
そして、副部３５の内側の領域、即ち、窪み部Ｓ２が、光源ユニット１０を収納する光源収納領域に相当する。以下、窪み部Ｓ２を電源収納領域Ｓ２と称する。また、主部３３と副部３５の側壁３５ｂとで囲まれた領域が、電源ユニット２０を収納する電源収納領域Ｓ１に相当する。また、主部３３の底壁３３ｃの下面側における開口部３３ｇを囲繞する領域には、平面視円形状の凹部３３ｄが形成されている。凹部３３ｄの内側には、光拡散部材５１が配置される。そして、凹部３３ｄの底面３３ｄｄの２箇所には、光拡散部材５１を筐体３１に固定するための貫通孔３３ｄａが形成されている。２つの貫通孔３３ｄａは、底面３３ｄｄの周部における、底面３３ｄｄの中心を挟んで対向する２箇所に位置する。各貫通孔３３ｄａは、幅広部３３ｄｂと、幅広部３３ｄｂよりも短手方向における幅の狭い幅狭部３３ｄｃとからなる。
【００２３】
図３に照明装置１の電源ユニット２０および筐体３１を上方から見たときの分解斜視図を示す。
図３に示すように、主部３３の底壁３３ｃにおける４箇所には、突出部３３ａが設けられている。突出部３３ａの位置は、回路カバー２５の舌片部２５ｄに対応する。突出部３３ａには、螺子孔３３ａａが穿設されている。そして、回路カバー２５は、舌片部２５ｄを突出部３３ａの上面に載置した状態で筐体３１に固定される。固定は、貫通孔２５ｄａに挿通された螺子１１３を突出部３３ａの螺子孔３３ａａに螺合させることにより（図３の矢印Ａ２参照）行われる。また、主部３３の底壁３３ｃにおける回路カバー２５が配置される側とは反対側には、台座部３３ｂが設けられている。台座部３３ｂには、螺子孔３３ｂａが穿設されている。そして、端子台２７は、台座部３３ｂの上面に載置した状態で筐体３１に固定される。固定は、貫通孔２７ａに挿通された螺子１１５を台座部３３ｂの螺子孔３３ｂａに螺合させることにより（図３の矢印Ａ３参照）行われる。ところで、台座部３３ｂの平面視形状は、端子台２７の平面視形状と略同一となるように設定されている。これにより、端子台２７を台座部３３ｂに固定する際の端子台２７の位置決めが容易になっている。
【００２４】
また、主部３３の側壁３３ｅの内周面には、筒軸方向に延長された１対のリブ３３ｆが設けられている。一対のリブ３３ｆは、上記内周面における主部３３の筒軸を挟んで対向する２箇所それぞれにおいて、筒軸方向に延長される形で設けられている。
副部３５は、底壁３３ｃに近づくにつれて漸次拡径する形状を有している。この副部３５の内面は鏡面加工されていてもよい。これにより、光源ユニット１０から副部３５の側壁３５ｂに向かって放射された光が側壁３５ｂの内側で下方に反射されるので、光の取り出し効率向上を図ることができる。また、副部３５の底壁３５ａには、２つの貫通孔３５ａａが貫設されている。貫通孔３５ａａは、副部３５の底壁３５ａの周部における、底壁３５ａの中心を挟んで対向する２箇所に貫設されている。この貫通孔３５ａａは、光源ユニット１０を筐体３１に固定するための螺子１１５が挿通されるものである。また、副部３５の底壁３５ａには、２つの貫通孔３５ａｂが貫設されている。貫通孔３５ａｂは、副部３５の底壁３５ａの周部における２つの貫通孔３５ａａの対向方向に直交する方向で中心を挟んで対向する２箇所に貫設されている。この貫通孔３５ａｂは、筐体３１を取付部材４１に固定するための螺子１１７が挿通されるものである。また、底壁３５ａには、電源ユニット２０のリード線２９が挿通される貫通孔３５ａｃが貫設されている。ここで、リード線２９は、底壁３５ａの上面側から貫通孔３５ａｃを通って底壁３５ａの下面側に引き出されている。更に、底壁３５ａには、光源ユニット１０の位置決めを行うための貫通孔３５ａｄが貫設されている。
【００２５】
＜１−３＞光源ユニット
光源ユニット１０は、発光モジュール１１と、放熱シート１３と、押え部材１５と、保護カバー１７とから構成される。
図４に照明装置１の光源ユニット１０および筐体３１を下方から見たときの分解斜視図を示す。
【００２６】
［発光モジュール］
発光モジュール１１は、白色光を発する。発光モジュール１１は、主面に配線パターン（図示せず）が形成された略矩形板状の基板１１ａと、基板１１ａ上に配設されたドーム状の発光部１１ｂとを備える。基板１１ａは、例えば、金属層と絶縁層とからなる２層構造の板材やセラミックスやガラス等の絶縁性材料単体からなる板材から構成されている。発光部１１ｂは、例えば、基板１１ａ上に実装された複数の青色ＬＥＤ（Ｌｉｇｈｔ  Ｅｍｉｔｔｉｎｇ  Ｄｉｏｄｅ）と、黄色蛍光体を含有し且つ複数の青色ＬＥＤをする封止部材で一括して封止する封止部材とを有する。また、基板１１ａにおける発光部１１ｂの外周部の２箇所には、電源ユニット２０から供給される電力を受けるための電極部１１ｃが設けられている。なお、発光モジュール１１としては、白色光を発するものに限定されるものではなく、他の色の光を発するものであってもよい。
【００２７】
［放熱シート］
放熱シート１３は、発光モジュール１１で発生した熱を効率よく筐体３１に伝達するための部材である。この放熱シート１３は、例えば、シリコーン樹脂等の熱伝導性の良い樹脂材料やアルミニウム、錫等からなる金属箔から形成されている。
放熱シート１３は、平面視矩形状に形成されている。そして、発光モジュール１１は、この放熱シート１３の下面に当接した状態で配置されている。なお、放熱シート１３の形状は、平面視矩形状に限定されるものではなく、平面視で円形や多角形でもよい。また、放熱シート１３は、基板１１ａの主面に形成された配線パターン等と筐体３１との間の絶縁性が確保できるのであれば、アルミニウム等の金属材料からなるものであってもよい。この場合、金属材料は一般的に樹脂材料に比べて耐熱性が高いことから、放熱シート１３がシリコーン樹脂等から形成されている場合に比べて、放熱シート１３の熱による劣化を抑制できるという利点がある。
【００２８】
［押え部材］
押え部材１５は、発光モジュール１１を放熱シート１３と共に筐体３１に固定するための部材である。この押え部材１５は、熱伝導性の良い樹脂材料等から形成されている。
押え部材１５は、本体部１５ａと、突出部１５ｂとを有する。本体部１５ａは、略有底円筒状であり且つ底壁の略中央部に開口部１５ａａが形成されている。突出部１５ｂは、本体部１５ａの側壁における開口部１５ａａを挟んで対向する２箇所から互いに離れる方向に突出している。各突出部１５ｂには、本体部１５ａの筒軸方向と平行に螺子孔１５ｂａが穿設されている。また、本体部１５ａには、押え部材１５を筐体３１に固定する際の位置決めを行うための２つの突出片１５ａｃが設けられている。この２つの突出片１５ｂｃは、２つの突出部１５ｂの対向方向とは直交する方向において対向する２箇所から底壁側とは反対側に突出している。そして、底壁３５ａの下面に放熱シート１３、発光モジュール１１を順に重ねて配置し、リード線２９の先端部を発光モジュール１１の電極部１１ｃに接続する。そして、底壁３５ａの下面側に、突出片１５ｂｃが底壁３５ａの貫通孔３５ａｄに嵌合した状態で押え部材１５を配置する（図４の矢印Ａ４参照）。このとき、筐体３１の貫通孔３５ａａの位置と、押え部材１５の螺子孔１５ｂａの位置とが一致している。それから、底壁３５ａの上側から貫通孔３５ａａに挿通された螺子１１２を、押え部材１５の螺子孔１５ｂａに螺合させると（図４の矢印Ａ５参照）、発光モジュール１１および放熱シート１３が押え部材１５により筐体３１に固定される。以上のように、突出片１５ｂｃおよび貫通孔３５ａｄにより、貫通孔３５ａａと螺子孔１５ｂａとの位置合わせの容易化が図られている。
【００２９】
また、本体部１５ａの側壁における筒軸を挟んで対向する２箇所には、保護カバー１７を押え部材１５に固定するための突起１５ａｂが突設されている。
［保護カバー］
保護カバー１７は、発光モジュール１１および押え部材１５の一部を一括して覆う部材であり、ユーザの安全を考慮して発光モジュール１１がユーザの手に接触しないようにするためのものである。また、保護カバー１７により、押え部材１５の開口部１５ａａから発光モジュール１１の周囲への異物の侵入を防止することもできる。この保護カバー１７は、透光性を有するガラスやアクリル樹脂、ポリカーボネート樹脂等の樹脂材料から形成されている。
【００３０】
保護カバー１７は、略有底円筒状に形成されている。保護カバー１７の側壁には、切欠部１７ａおよび係合孔１７ｂが形成されている。この切欠部１７ａは、押え部材１５の突出部１５ｂに対応する位置に存在する。係合孔１７ｂは、押え部材１５の突起１５ａｂに対応する位置に存在する。そして、保護カバー１７は、切欠部１７ａの内側に押え部材１５の突出部１５ｂが配置され且つ係合孔１７ｂが押え部材１５の突起１５ａｂに係合した状態で、押え部材１５に固定される。
【００３１】
このように、保護カバー１７を押え部材１５に固定する際、接着剤等が不要なので、部品点数の削減を図ることができる。
＜１−４＞取付部材
取付部材４１は、照明装置１を天井材Ｃに取り付けるための部材である。この取付部材４１は、アルミニウムや鉄等の金属材料やセラミックスあるいは熱伝導性の良い樹脂材料から形成されている。
【００３２】
図１に示すように、取付部材４１は、主片４１ａと、２つの延出片４５とを備える。主片４１ａは、円板状に形成され且つ略中央部に平面視円形の貫通孔４３が貫設されている。延出片４５は、主片４１ａの周縁部における貫通孔４３を挟んで対向する２箇所から主片４１ａの厚み方向に沿った一方向に延出している。この延出片４５は、筐体３１に設けられた一対のリブ３３ｆ同士の間隔に略等しくなっている。延出片４５は、筐体３１を取付部材４１に固定する際、筐体３１の取付部材４１に対する位置決めを行うためのものである。取付部材４１は、主片４１ａにおける延出片４５が突出する側とは反対側の面が天井材Ｃの下面Ｃ０に当接した状態で天井材Ｃに固定される。また、取付部材４１には、延出片４５の突出方向と同じ方向に隆起した２つの隆起部４７が設けられている。２つの隆起部４７は、貫通孔４３の外周部における、延出片４５の並び方向とは直交する方向で対向する２箇所に設けられている。各隆起部４７の先端部には、螺子孔４７ａが設けられている。
【００３３】
また、一方の延出片４５と貫通孔４３との間には、取付孔４９ａが貫設されている。取付孔４９ａは、２つの延出片４５の並び方向に延びている。また、他方の延出片４５と貫通孔４３との間には、２つの取付孔４９ｂが貫設されている。２つの取付孔４９ｂは、２つの延出片４５の並び方向に直交する方向に延びており、２つの延出片４５の並び方向に並ぶ形で貫設されている。
【００３４】
取付部材４１は、まず、取付孔４９ａに挿通された螺子１１１と、２つの取付孔４９ｂのいずれか一方に挿通された螺子１１１とを天井材Ｃに螺着される。このとき、取付部材４１の主片４１ａが天井材Ｃの下面Ｃ０から若干浮いた状態となるようにする。次に、取付部材４１を天井材Ｃに対して摺動させて、取付部材４１の貫通孔４３の位置と天井材Ｃに貫設された貫通孔Ｃ１の位置とを一致させる。ここにおいて、２つの螺子１１１それぞれが取付孔４９ａ，４９ｂ内を移動可能となっていることにより、取付部材４１が天井材Ｃに対して摺動可能となっている。その後、螺子１１１を天井材Ｃに締め付けることにより、取付部材４１の貫通孔４３の位置と天井材Ｃに貫設された貫通孔Ｃ１の位置とが一致した状態で、取付部材４１が天井材Ｃに固定される。
【００３５】
図５に照明装置１の分解斜視図を示す。
図５に示すように、筐体３１を取付部材４１に固定する際、２つの延出片４５それぞれが２対のリブ３３ｆそれぞれの間に嵌め込まれた状態で、筐体３１を取付部材４１に近づけていき、筐体３１の開口端部を天井材Ｃの下面Ｃ０に当接させる。このとき、筐体３１の筒軸方向において、筐体３１の貫通孔３５ａｂと取付部材４１の螺子孔４７ａとが一致する。そして、筐体３１の下側から貫通孔３５ａｂに挿通された螺子１１７が取付部材４１の螺子孔４７ａに螺合されることにより、天井材Ｃに固定された取付部材４１に固定される。
【００３６】
以上のように、取付部材４１が延出片４５を有し、筐体３１が２対のリブ３３ｆを有することにより、筐体３１を取付部材４１に固定する際、筐体３１の取付部材４１に対する位置決めを容易に行うことができる。
また、隆起部４７が設けられていることにより、螺子１１７を取付部材４１の螺子孔４７ａに螺合させた状態で螺子１１７の先端部が天井材Ｃの下面Ｃ０に接触しないようになっている。これにより、取付部材４１の上面における隆起部４７を除く領域全体を天井材Ｃの下面Ｃ０に接触させることができるので、光源ユニット１０から筐体３１を介して取付部材４１に伝導した熱の天井材Ｃへの伝熱性を向上させることができる。
【００３７】
＜１−５＞光拡散部材
光拡散部材５１は、光源ユニット１０から放射される光を拡散することにより照明装置１の配光特性を調節するためのものである。この光拡散部材５１は、透光性を有するガラスやアクリル樹脂、ポリカーボネート樹脂等の樹脂材料から形成されている。
光拡散部材５１は、本体部５１ａと、突条部５１ｂとを備える。本体部５１ａは、平面視円形状に形成されている。突条部５１ｂは、筐体３１に取着された状態で本体部５１ａの周部から筐体３１に対向する面側に突出している。また、突条部５１ｂには、２つのフック５１ｃが設けられている。この２つのフック５１ｃは、突条部５１ｂおける中心を挟んで対向する２箇所に設けられている。そして、フック５１ｃの先端部が筐体３１の貫通孔３３ｄａの幅広部３３ｄｂに挿入されるように筐体３１の凹部３３ｄの内側に配置し、その後、凹部３３ｄの周方向に回転させると光拡散部材５１が筐体３１に固定される。ここで、フック５１ｃの基端部が幅狭部３３ｄｃの内側に配置されるとともに、フック５１ｃの先端部が幅狭部３３ｄｃの外周部に係止されることで、光拡散部材５１が筐体３１に固定される。
【００３８】
以上のように、光拡散部材５１を筐体３１に固定する際、螺子等の固定具や接着剤が不要なので、部品点数の削減を図ることができる。
また、光拡散部材５１を筐体３１に対して凹部３３ｄの周方向に回転させるだけで筐体３１から取り外すことができる。従って、筐体３１から光拡散部材５１を取り外してから、取付部材４１から螺子１１７を取り外す作業を容易に行うことができる。これにより、照明装置１が故障した場合に、光源ユニット１０、電源ユニット２０および筐体３１からなる構造体を新しいものに容易に取り替えることができるので、保守性向上を図ることができる。また、照明装置１内に虫や埃等の異物が侵入した場合、ユーザがそれらを取り除き易くなるので、その分、メンテナンス性向上を図ることができる。
【００３９】
＜２＞照明装置の構造的特徴について
次に、照明装置１の構造的特徴について説明する。
図６（ａ）に、光拡散部材５１を取り外した状態の照明装置１を下側から見た図を示し、図６（ｂ）に、取付部材４１を取り外した状態の照明装置１を上側から見た図を示す。また、図７に、照明装置１の断面図を示す。
【００４０】
図６（ａ）および（ｂ）に示すように、電源ユニット２０は、筐体３１における、光源ユニット１０を囲繞する領域（電源収納領域Ｓ１）に収納されている。具体的には、電源ユニット２０のうち、電源回路２１および回路カバー２５からなる部分は、電源収納領域Ｓ１の半周分に相当する部分に配置されている。これにより、光源ユニット１０が照明装置１を下方から見たときに略中央部に配置されることとなる。従って、照明装置１の光出射部分が照明装置１の下面Ｃ０に平行な方向における中心ＣＥに対して略対称なものとすることができるので、照明装置１の意匠性向上を図ることができる。そして、光源ユニット１０と電源ユニット２０とは、天井材Ｃの下面Ｃ０に直交する方向において互いに重ならず、天井材Ｃの下面Ｃ０に平行な方向において並んで配置されている。そして、図７に示すように、天井材Ｃの下面Ｃ０に直交する方向において、照明装置１の厚みＷ１は、光源ユニット１０の厚みＷ２と、電源ユニット２０の厚みＷ３と、光拡散部材５１の厚みＷ４とを足し合わせた大きさに比べて小さくなっている。ここで、光源ユニット１０の厚みは、保護カバー１７の厚みに相当し、電源ユニット２０の厚みは回路カバー２５の厚みに相当する。
【００４１】
一方、従来から、天井材Ｃの下面Ｃ０に直交する方向において、光源ユニット１０、電源ユニット２０、光拡散部材５１が重ねて配置されている照明装置（以下、「比較例１に係る照明装置」と称する。）が考えられる。この比較例１に係る照明装置の厚みは、少なくとも光源ユニット１０の厚みＷ２と電源ユニット２０の厚みＷ３と光拡散部材５１の厚みとを足し合わせた大きさ以上となる。即ち、照明装置１は、比較例１に係る照明装置に比べて薄型化できるので、意匠性向上を図ることができる。
【００４２】
ここで、「意匠性向上」とは、特に、照明装置１の照明空間に存在するユーザに照明装置１の薄さ感を感じさせ、当該ユーザへの圧迫感を軽減するという意味を含むものである。
また、電源ユニット２０の形状、即ち、回路基板２１ａや回路カバー２５の形状が、電源収納領域Ｓ１の形状に基づいて決定されている。具体的には、円環状の電源収納領域Ｓ１の形状に合わせて、回路基板２１ａや回路カバー２５が湾曲している。これにより、筐体３１の小型化を図ることができる。
【００４３】
＜３＞照明装置の光学的特性について
次に、照明装置１の光学的特性について説明する。
図８（ａ）に、実施の形態に係る照明装置１の模式図を示し、図８（ｂ）に比較例２に係る照明装置１００１の模式図を示す。なお、図８（ｂ）において実施の形態と同様の構成については同一の符号を付して適宜説明を省略する。
【００４４】
比較例２に係る照明装置１００１では、光拡散部材１０５１が筐体３１の凹部３３ｄの底面３３ｄｄに面接触した状態で凹部３３ｄの内側に配置されている。そして、光源ユニット１０から放射される光は、光拡散部材１０５１における領域ＡＲ１００１を透過して外部に放出される（図８（ｂ）の一点鎖線矢印参照）。
一方、実施形態に係る照明装置１では、光拡散部材５１と凹部３３ｄの底面３３ｄｄとの間に空隙ＳＡが形成されている。ここにおいて、光源ユニット１０から放射された光の一部は、光拡散部材５１の上面と凹部３３ｄの底面３３ｄｄとの間で反射を繰り返し凹部３３ｄの周部近傍から外部に放出される（図８（ａ）の一点鎖線矢印参照）。これにより、光源ユニット１０から放射される光は、光拡散部材５１における領域ＡＲ１を透過して外部に放出されることになる。つまり、実施の形態に係る照明装置１では、比較例２に係る照明装置１００１に比べて、光拡散部材５１における発光部分の面積を大きくすることができる。従って、実施の形態に係る照明装置１は、比較例２に係る照明装置１００１に比べて、照明空間に存在するユーザが感じる明るさ感を向上させることができる。
【００４５】
＜４＞まとめ
結局、実施の形態に係る照明装置１では、主部３３と副部３５の側壁３５ｂとで囲まれた領域からなる電源収納領域Ｓ１が、天井材Ｃの下面Ｃ０に平行な方向において、副部３５の内側の領域からなる光源収納部Ｓ２と並ぶ位置にある。これにより、照明装置１は、電源ユニット２０と光源ユニット１０とが上記下面Ｃ０に垂直な方向において互いに重なるように配置された比較例１に係る照明装置１００１に比べて薄型化できる。
【００４６】
また、実施の形態に係る照明装置１は、その電源収納領域Ｓ１が、天井材Ｃの下面Ｃ０に平行な方向において光源ユニット１０を囲繞するように存在する。これにより、照明装置１の光出射部分が照明装置１の下面Ｃ０に平行な方向における中心ＣＥ（図６参照）に対して略対称なものとすることができ、照明装置１の意匠性向上を図ることができる。
更に、実施の形態に係る照明装置１では、筐体が、主部３３と副部３５とから構成されている。ここで、主部３３は、有底円筒状であり、底壁３３ｃに開口部３３ｇが形成されている。また、副部３５は、有底円筒状であり、主部３３の側壁３３ｅが突出する側に突出するように主部３３の開口部３３ｇの外周部に連続している。そして、副部３５の内側の領域が光源ユニット１０を収納する光源収納領域Ｓ２を構成しており、電源ユニット２０と光源ユニット１０との間が副部３５の側壁３５ｂにより遮られ、電源ユニット２０と光源ユニット１０との電気的絶縁性が確保されている。従って、電源ユニット２０と光源ユニット１０との間に別途絶縁カバー等を設ける必要がないので、部品点数の削減を図ることができる。
【００４７】
＜変形例＞
（１）実施の形態では、筐体３１の主部３３が有底円筒状である例について説明したが、主部３３の形状はこれに限定されるものではない。例えば、主部が、筒軸方向に直交する断面の面積がその底壁に近づくにつれて漸減する形状を有しているものであってもよい。
【００４８】
図９に、本変形例に係る照明装置２の断面図を示す。なお、図９において実施の形態と同様の構成については同一の符号を付して適宜説明を省略する。
照明装置２では、筐体２３１の主部２３３が有底円筒状である。そして、主部２３３は、底壁２３３ｃに近づくにつれて漸次拡径する形状をしている。
また、電源回路２１の回路基板２１ａにおける複数の電子部品２１ｂそれぞれの位置は、主部２３３と副部２３５の側壁２３５ｂとで囲まれた領域の形状に基づいて設定されている。図９に示すように、主部２３３と副部２３５の側壁２３５ｂとで囲まれた領域は、天井材Ｃの下面Ｃ０に直交する方向において、主部２３３の筒軸側が最も厚みが大きく、主部２３３の筒軸から離れるほど厚みが小さくなっている。そこで、電子部品２１ｂのうち、比較的背の高い電子部品を主部２３３の筒軸に近い側に配置し、比較的背の低い電子部品を主部２３３の筒軸から遠い側に配置している。
【００４９】
本構成によれば、筐体２３１の主部２３３が、底壁２３３ｃに近づくにつれて漸次拡径する形状を有していることにより、照明装置２の照明空間に存在するユーザに照明装置２の薄さ感を強く感じさせることができる。
（２）実施の形態では、天井材Ｃの下面Ｃ０に螺子止め固定される取付部材４１を有し、天井材Ｃに貫設され電源線Ｌが引き出される貫通孔Ｃ１を覆うように配置される照明装置１の例について説明した。但し、本願発明の照明装置は、取付部材４１を備える構成や天井材Ｃの貫通孔Ｃ１を覆うように配置される構成に限定されるものではない。例えば、光源ユニットが載置された基台が放熱シート等を介して天井材Ｃに接着剤等により固定されるものであってもよい。或いは、照明装置が、天井材Ｃの下面Ｃ０側に敷設された電源線Ｌを介して外部電源から電力供給を受ける構成であってもよい。
【００５０】
図１０（ａ）に、本変形例に係る照明装置３について光拡散部材５１を取り外した状態の斜視図を示し、図１０（ｂ）に、照明装置３の断面図を示す。以下、照明装置３が天井材Ｃに固定された状態における、光源ユニット３１０の光出射方向側を下側として説明する。
照明装置３は、光源ユニット３１０と、電源ユニット３２０と、筐体３３１と、基台３４１と、光拡散部材３５１と、反射部材３６１とを備える。
【００５１】
筐体３３１は、略円筒状である。基台３４１は、筐体３３１の上側開口を覆うように配置され、周部が筐体３３１の上側開口端部に接着剤により固着されている。
基台３４１の上面側は、放熱シート３４８を介して天井材Ｃの下面Ｃ０に接着剤により固定されている。
光源ユニット３１０は、発光モジュール３１１と、放熱部材３１３とを備える。発光モジュール３１１は、基板３１１ａおよび基板３１１ａの下面に実装された複数の発光部３１１ｂを有する。放熱部材３１３は、基板３１１ａの上面を覆うように配置されている。ここで、基板３１１ａは、放熱部材３１３を介して基台３４１の下面側に接着剤により固着されている。
【００５２】
反射部材３６１は、本体部３６１ａと、外鍔部３６１ｂとからなる。本体部３６１ａは、円筒状に形成され、下側に向かうにつれて漸次拡径している。外鍔部３６１ｂは、本体部３６１ａの下端部から外側に張り出している。ここで、本体部３６１ａの上側開口部３６１ａａは、下側から見たときに複数の発光部３１１ｂの全てが内側に配置される大きさに設定されている。
【００５３】
電源ユニット３２０は、電源回路３２１と、上回路カバー３２５ａと、下回路カバー３２５ｂとを備える。電源回路３２１は、回路基板３２１ａと、回路基板３２１ａの両面側に実装された複数の電子部品３２１ｂとからなる。そして、上回路カバー３２５ａは、回路基板３２１ａの上面側を覆うように配置され、下回路カバー３２５ｂは、回路基板３２１ａの下面側を覆うように配置されている。また、回路基板３２１ａには、外部電源から電源ユニット３２０に電力を供給するための給電線３２３が接続されている。この給電線３２３は、照明装置３の外部から筐体３３１に設けられた貫通孔３３１ａおよび下回路カバー３２５ｂに設けられた貫通孔３２５ｂａを通じて筐体３３１の内部に引き込まれている。また、回路基板３２１ａには、光源ユニット３１０に電力を供給するためのリード線３２９が接続されており、リード線３２９における回路基板３２１ａに接続される一端とは反対側の他端にコネクタ３２９ａが取り付けられている。そして、コネクタ３２９ａは、発光モジュール３１１の基板３１１ａの下面に設けられた受電端子（図示せず）に接続されている。ここにおいて、筐体３３１と反射部材３６１とで囲まれた領域が、電源収納領域Ｓ１に相当する。
【００５４】
本構成によれば、筐体３３１と反射部材３６１とで囲まれた領域からなる電源収納領域Ｓ１が、天井材Ｃの下面Ｃ０に平行な方向で光源ユニット３１０を囲繞している。これにより、電源ユニット３２０と光源ユニット３１０とが天井材Ｃの下面Ｃ０に直交する方向において互いに重ならないように配置される。そして、図１０に示すように、天井材Ｃの下面Ｃ０に直交する方向において、照明装置３の厚みＷ３１は、光源ユニット３１０の厚みＷ３２と、電源ユニット３２０の厚みＷ３３と、光拡散部材３５１の厚みＷ３４とを足し合わせた大きさに比べて小さくなっている。ここで、光源ユニット３１０の厚みは発光部３１１ｂの厚み、基板３１１ａの厚みおよび放熱部材３１３の厚みを足し合わせた大きさに相当する。また、電源ユニット３２０の厚みは、上回路カバー３２５ａの厚み、下回路カバー３２５ｂの厚みおよび回路基板３２１ａの厚みを足し合わせた大きさに相当する。このように、本構成は、実施の形態で説明した、電源ユニット、光源ユニットおよび光拡散部材が上記下面に直交する方向において重なるように配置された比較例１に係る照明装置１００１に比べて、照明装置１の薄型化を図ることができるので、意匠性向上を図ることができる。
【００５５】
（３）実施の形態に係る照明装置１において、主部３３の凹部３３ｄの底面３３ｄｄは鏡面加工されていてもよい。或いは、凹部３３ｄの底面３３ｄｄに反射膜が形成されていてもよい。
本構成によれば、光源ユニット１０から放射された光の一部が凹部３３ｄの周部近傍から外部に放出され易くなるので、照明空間に存在するユーザが感じる明るさ感をより向上させることができる。
【符号の説明】
【００５６】
１，２，３  照明装置
１０，３１０  光源ユニット
２０，３２０  電源ユニット
３１      筐体
３３      主部
３３ｃ，３５ａ  底壁
３３ｅ，３５ｂ  側壁
３３ｇ    開口部
３３ｄ    凹部
３３ｄｄ  底面
３５      副部
Ｃ        天井材（造営材）
Ｓ１      電源収納領域
Ｓ２      光源収納領域
【図１】
2014149945.tif 000003
【図２】
2014149945.tif 000004
【図３】
2014149945.tif 000005
【図４】
2014149945.tif 000006
【図５】
2014149945.tif 000007
【図６】
2014149945.tif 000008
【図７】
2014149945.tif 000009
【図８】
2014149945.tif 000010
【図９】
2014149945.tif 000011
【図１０】
2014149945.tif 000012